(57)【特許請求の範囲】
【請求項１】
直流電圧を昇圧および／または降圧するＤＣ／ＤＣコンバータ回路と、前記ＤＣ／ＤＣコンバータ回路の出力電圧を交流電圧に変換するインバータ回路と、前記ＤＣ／ＤＣコンバータ回路のスイッチング周波数および前記インバータ回路の点灯周波数を制御するＰＷＭ制御回路を有するデジタル方式の制御手段と、前記出力電圧を検出する出力電圧検出回路または前記ＤＣ／ＤＣコンバータ回路の出力電流を検出する出力電流検出回路の少なくともどちらか一方とを備え、前記インバータ回路より所定の点灯周期で前記交流電圧を放電ランプに供給して該放電ランプを点灯する放電灯点灯装置において、
前記制御手段は、前記点灯周期において、前記出力電圧検出回路または前記出力電流検出回路によって検出される検出値の所定回数分の移動平均値を算出し、該移動平均値とあらたに検出される検出値との差情報に基づいて、次の点灯周期の極性切換タイミングで前記スイッチング周波数を所定の周波数分変更するように指示する周波数切換信号を前記ＰＷＭ制御回路に出力する周波数切換判定処理回路を備えたことを特徴とする放電灯点灯装置。
【請求項２】
前記スイッチング周波数は、切換え可能な周波数の上限値と下限値を有しており、前記所定の周波数分変更されるスイッチング周波数は変更前のスイッチング周波数の値に応じて前記上限値および前記下限値の範囲内で周波数の変更方向および変更量が決定されることを特徴とする請求項１記載の放電灯点灯装置。
【請求項３】
前記周波数切換判定処理回路は、前記移動平均値を算出する移動平均演算回路と、所定のオフセット値を出力するオフセット回路と、前記移動平均値に前記所定のオフセット値を加減算して求められた閾値領域と前記あらたに検出される検出値とを比較して前記あらたに検出される検出値が前記閾値領域から外れたときに出力信号を送出するコンパレータと、前記出力信号を入力してその入力数が所定回数超えたときに前記周波数切換信号を前記ＰＷＭ制御回路に出力するカウンタとを備えることを特徴とする請求項１または２記載の放電灯点灯装置。
【請求項４】
前記周波数切換判定処理回路は、前記移動平均値を算出する移動平均演算回路と、前記移動平均値と前記あらたに検出される検出値とを入力して差分電圧の絶対値を出力する第１のコンパレータと、前記差分電圧の絶対値が所定の閾値を超えたときに出力信号を送出する第２のコンパレータと、前記出力信号を入力してその入力数が所定回数超えたときに前記周波数切換信号を前記ＰＷＭ制御回路に出力するカウンタとを備えることを特徴とする請求項１または２記載の放電灯点灯装置。
【請求項５】
直流電圧を昇圧あるいは降圧するＤＣ／ＤＣコンバータ回路と、前記ＤＣ／ＤＣコンバータ回路の出力電圧を交流電圧に変換するインバータ回路と、前記ＤＣ／ＤＣコンバータ回路のスイッチング周波数および前記インバータ回路の点灯周波数を制御するＰＷＭ制御回路を有する制御手段と、前記出力電圧を検出する出力電圧検出回路または前記ＤＣ／ＤＣコンバータ回路の出力電流を検出する出力電流検出回路の少なくともどちらか一方とを備え、前記インバータ回路より所定の点灯周期で前記交流電圧を放電ランプに供給して該放電ランプを点灯する放電灯点灯装置において、
前記制御手段は、前記点灯周期において、前記出力電圧検出回路または前記出力電流検出回路によって検出される検出値の平均値を演算するアナログ演算回路と、該アナログ演算回路から前記平均値の信号を入力して前記平均値とあらたに検出される検出値との差情報に基づいて、次の点灯周期の極性切換タイミングで前記スイッチング周波数を所定の周波数分変更するように指示する周波数切換信号を前記ＰＷＭ制御回路に出力する周波数切換判定処理回路を備えたことを特徴とする放電灯点灯装置。
【請求項６】
直流電圧を昇圧および／または降圧するＤＣ／ＤＣコンバータ回路と、前記ＤＣ／ＤＣコンバータ回路の出力電圧を交流電圧に変換するインバータ回路と、前記ＤＣ／ＤＣコンバータ回路のスイッチング周波数および前記インバータ回路の点灯周波数を制御するＰＷＭ制御回路を有するデジタル方式の制御手段と、前記出力電圧を検出する出力電圧検出回路または前記ＤＣ／ＤＣコンバータ回路の出力電流を検出する出力電流検出回路の少なくともどちらか一方とを備え、前記インバータ回路より所定の点灯周期で前記交流電圧を放電ランプに供給して該放電ランプを点灯する放電灯点灯装置の点灯制御方法であって、
前記出力電圧検出回路または前記出力電流検出回路によって前記出力電圧あるいは前記出力電流を検出する検出ステップと、検出値の所定回数分の移動平均値を算出する移動平均値演算ステップと、前記移動平均値とあらたに検出される検出値との差情報に基づいて出力信号を送出する比較ステップと、前記出力信号を入力してその入力数が所定回数超えたときに次の点灯周期の極性切換タイミングで前記スイッチング周波数を所定の周波数分変更するように指示する周波数切換信号を前記ＰＷＭ制御回路に出力するカウントステップと、前記次の点灯周期の極性切換タイミングで前記周波数切換信号をもとに発振周波数を変更するＰＷＭ周波数変更ステップと、前記次の点灯周期の極性切換タイミングで変更された前記発振周波数をもとにスイッチング周波数を切換えるスイッチング周波数切換ステップとを前記点灯周期毎に備えることを特徴とする放電灯点灯装置の点灯制御方法。
【請求項７】
前記比較ステップでは、前記移動平均値に所定のオフセット値を加減算して求められた閾値領域と前記あらたに検出される検出値とを比較することを特徴とする請求項６記載の放電灯点灯装置の点灯制御方法。
【請求項８】
前記比較ステップで設定する前記オフセット値は、前記スイッチング周波数毎に異なることを特徴とする請求項７記載の放電灯点灯装置の点灯制御方法。
【請求項９】
前記比較ステップでは、前記移動平均値と前記あらたに検出される検出値との差分電圧の絶対値と所定の閾値とを比較することを特徴とする請求項６記載の放電灯点灯装置の点灯制御方法。
【請求項１０】
前記比較ステップで設定する前記所定の閾値は、前記スイッチング周波数毎に異なることを特徴とする請求項９記載の放電灯点灯装置の点灯制御方法。
【請求項１１】
前記次の点灯周期の極性切換タイミング毎に切換えるスイッチング周波数は、切換え可能な周波数の上限値と下限値とを有しており、変更前のスイッチング周波数の値に応じて前記上限値および前記下限値の範囲内で周波数の変更方向および変更量が決定されることを特徴とする請求項６内至１０のいずれか一項に記載の放電灯点灯装置の点灯制御方法。
【請求項１２】
前記次の点灯周期の極性切換タイミング毎に切換えるスイッチング周波数は、第１のスイッチング周波数と第２のスイッチング周波数とが交互に入れ替わることを特徴とする請求項６内至１１のいずれか一項に記載の放電灯点灯装置の点灯制御方法。
【請求項１３】
前記カウントステップで設定する所定回数は、前記スイッチング周波数毎に異なることを特徴とする請求項６内至１２のいずれか一項に記載の放電灯点灯装置の点灯制御方法。
【発明の詳細な説明】
【技術分野】
【０００１】
本発明は、プロジェクタや屋内外照明等に用いられる高圧放電ランプを点灯させるための放電灯点灯装置およびその点灯制御方法に関する。
【背景技術】
【０００２】
従来、メタルハライドランプ等の高圧放電ランプは、小型、高輝度、高効率が実現されていることから、液晶プロジェクタ等の投射装置の光源用、あるいは、道路照明等の屋外照明用等として、広く利用されるようになってきている。
【０００３】
しかしながら、たとえば１ｋＨｚ以上の高周波で高周波点灯すると、ランプ内に発生した音波の進行波と反射波との干渉作用により定在波が生じ、その定在波によってもたらされる管内の圧力変化の振幅がある限度を超えると、立ち消えやランプ破壊などを引き起こすいわゆる音響共鳴現象が生じやすく、この音響共鳴現象に起因するアーク不安定性の問題が従来から知られている。
【０００４】
従来、高圧放電灯点灯装置においては、このような音響共鳴現象の発生を避けるため、比較的低周波の矩形波交番電圧を印加する構成が広く採用されている。このような構成において、不安定になりやすいアークの起点位置を安定化させる放電ランプの駆動方法が提案されている（例えば、特許文献１参照）。
【０００５】
特許文献１における高圧放電灯点灯装置は、スイッチング素子のオンオフを制御することにより高輝度放電ランプである放電ランプへの供給電力を可変とした電力変換回路と、放電ランプの安定点灯時に放電ランプに定電力が供給される定電力モードで電力変換回路のスイッチング素子のオンオフを制御する制御回路と、放電ランプにおけるフリッカ（光出力のちらつき）の発生を検出するフリッカ検出手段とを備え、制御回路は、放電ランプに定電力モードで供給する電力よりも大きい電力を電力変換回路から供給させる高電力モードを、放電ランプの点灯期間中であってフリッカ検出手段がフリッカを検出している期間に選択するようにしたため、放電ランプに供給する電力を変化させるだけの簡単な制御によって放電ランプの電極やバルブ内の温度を適正な状態に保つことを可能とし、結果的に電極への突起の生成を促進しアークの起点の位置を安定させることを可能としてフリッカの発生を抑制し、さらに電極の劣化を抑制して放電ランプを長寿命化することができる、としている。
【先行技術文献】
【特許文献】
【０００６】
【特許文献１】特開２００５−３２７７４４号公報
【発明の概要】
【発明が解決しようとする課題】
【０００７】
しかしながら、特許文献１の高圧放電灯点灯装置には次のような問題がある。
すなわち、特許文献１に記載の技術では、電極やバルブ内の温度低下に起因するフリッカが発生した場合、フリッカの発生から所定の期間は放電ランプに供給される電力の値が定常時よりも高くなるため、その期間は放電ランプが定常時よりも明るくなり、結果として、放電ランプが明るくなったり暗くなったりする現象が起き、元のフリッカとは別のフリッカ（ちらつき）が発生するという問題がある。
また、放電ランプは個々に特性のばらつきがあるため、特許文献１の制御方法ではさまざまな放電ランプに対してバルブ内の温度が適正な状態かどうかを判断することは困難である。
【０００８】
本発明は、上記課題に鑑みてなされたものであり、簡易で安価な回路構成でありながら音響共鳴現象の発生を精度よく判定し、放電ランプへの供給電力を一定に保ちながらフリッカ（光出力のちらつき）の発生を抑制するとともに、電極の劣化を抑制して放電ランプの長寿命化を可能とした放電灯点灯装置を提供することを目的とする。
【課題を解決するための手段】
【０００９】
上記目的を達成するため、本発明による放電灯点灯装置は、直流電圧を昇圧および／または降圧するＤＣ／ＤＣコンバータ回路と、前記ＤＣ／ＤＣコンバータ回路の出力電圧を交流電圧に変換するインバータ回路と、前記ＤＣ／ＤＣコンバータ回路のスイッチング周波数および前記インバータ回路の点灯周波数を制御するＰＷＭ制御回路を有するデジタル方式の制御手段と、前記出力電圧を検出する出力電圧検出回路または前記ＤＣ／ＤＣコンバータ回路の出力電流を検出する出力電流検出回路の少なくともどちらか一方とを備え、前記インバータ回路より所定の点灯周期で前記交流電圧を放電ランプに供給して該放電ランプを点灯する放電灯点灯装置において、前記制御手段は、前記点灯周期において、前記出力電圧検出回路または前記出力電流検出回路によって検出される検出値の所定回数分の移動平均値を算出し、該移動平均値とあらたに検出される検出値との差情報に基づいて、次の点灯周期の極性切換タイミングで前記スイッチング周波数を所定の周波数分変更するように指示する周波数切換信号を前記ＰＷＭ制御回路に出力する周波数切換判定処理回路を備えたことを特徴とする（請求項１）。
【００１０】
また、請求項１に記載の放電灯点灯装置において、前記スイッチング周波数は、切換え可能な周波数の上限値と下限値を有しており、前記所定の周波数分変更されるスイッチング周波数は変更前のスイッチング周波数の値に応じて前記上限値および前記下限値の範囲内で周波数の変更方向および変更量が決定されることを特徴とする（請求項２）。
【００１１】
また、請求項１または２に記載の放電灯点灯装置において、前記周波数切換判定処理回路は、前記移動平均値を算出する移動平均演算回路と、所定のオフセット値を出力するオフセット回路と、前記移動平均値に前記所定のオフセット値を加減算して求められた閾値領域と前記あらたに検出される検出値とを比較して前記あらたに検出される検出値が前記閾値領域から外れたときに出力信号を送出するコンパレータと、前記出力信号を入力してその入力数が所定回数超えたときに前記周波数切換信号を前記ＰＷＭ制御回路に出力するカウンタとを備えることを特徴とする（請求項３）。
【００１２】
また、請求項１または２に記載の放電灯点灯装置において、前記周波数切換判定処理回路は、前記移動平均値を算出する移動平均演算回路と、前記移動平均値と前記あらたに検出される検出値とを入力して前記差分電圧の絶対値を出力する第１のコンパレータと、前記差分電圧の絶対値が所定の閾値を超えたときに出力信号を送出する第２のコンパレータと、前記出力信号を入力してその入力数が所定回数超えたときに前記周波数切換信号を前記ＰＷＭ制御回路に出力するカウンタとを備えることを特徴とする（請求項４）。
【００１３】
また、本発明による放電灯点灯装置は、直流電圧を昇圧あるいは降圧するＤＣ／ＤＣコンバータ回路と、前記ＤＣ／ＤＣコンバータ回路の出力電圧を交流電圧に変換するインバータ回路と、前記ＤＣ／ＤＣコンバータ回路のスイッチング周波数および前記インバータ回路の点灯周波数を制御するＰＷＭ制御回路を有する制御手段と、前記出力電圧を検出する出力電圧検出回路または前記ＤＣ／ＤＣコンバータ回路の出力電流を検出する出力電流検出回路の少なくともどちらか一方とを備え、前記インバータ回路より所定の点灯周期で前記交流電圧を放電ランプに供給して該放電ランプを点灯する放電灯点灯装置において、前記制御手段は、前記点灯周期において、前記出力電圧検出回路または前記出力電流検出回路によって検出される検出値の所定回数分の平均値をアナログ演算するアナログ演算回路と、該アナログ演算回路から前記平均値の信号を入力して前記平均値とあらたに検出される検出値との差情報に基づいて、次の点灯周期の極性切換タイミングで前記スイッチング周波数を所定の周波数分変更するように指示する周波数切換信号を前記ＰＷＭ制御回路に出力する周波数切換判定処理回路を備えたことを特徴とする（請求項５）。
【００１４】
また、本発明による放電灯点灯装置の点灯制御方法は、直流電圧を昇圧および／または降圧するＤＣ／ＤＣコンバータ回路と、前記ＤＣ／ＤＣコンバータ回路の出力電圧を交流電圧に変換するインバータ回路と、前記ＤＣ／ＤＣコンバータ回路のスイッチング周波数および前記インバータ回路の点灯周波数を制御するＰＷＭ制御回路を有するデジタル方式の制御手段と、前記出力電圧を検出する出力電圧検出回路または前記ＤＣ／ＤＣコンバータ回路の出力電流を検出する出力電流検出回路の少なくともどちらか一方とを備え、前記インバータ回路より所定の点灯周期で前記交流電圧を放電ランプに供給して該放電ランプを点灯する放電灯点灯装置の点灯制御方法であって、前記出力電圧検出回路または前記出力電流検出回路によって前記出力電圧あるいは前記出力電流を検出する検出ステップと、検出値の所定回数分の移動平均値を算出する移動平均値演算ステップと、前記移動平均値とあらたに検出される検出値との差情報に基づいて出力信号を送出する比較ステップと、前記出力信号を入力してその入力数が所定回数超えたときに次の点灯周期の極性切換タイミングで前記スイッチング周波数を所定の周波数分変更するように指示する周波数切換信号を前記ＰＷＭ制御回路に出力するカウントステップと、前記次の点灯周期の極性切換タイミングで前記周波数切換信号をもとに発振周波数を変更するＰＷＭ周波数変更ステップと、前記次の点灯周期の極性切換タイミングで変更された前記発振周波数をもとにスイッチング周波数を切換えるスイッチング周波数切換ステップとを前記点灯周期毎に備えることを特徴とする（請求項６）。
【００１５】
また、請求項６に記載の放電灯点灯装置の点灯制御方法において、前記比較ステップでは、前記移動平均値に所定のオフセット値を加減算して求められた閾値領域と前記あらたに検出される検出値とを比較することを特徴とする（請求項７）。
【００１６】
また、請求項７に記載の放電灯点灯装置の点灯制御方法において、前記比較ステップで設定する前記オフセット値は、前記スイッチング周波数毎に異なることを特徴とする（請求項８）。
【００１７】
また、請求項６に記載の放電灯点灯装置の点灯制御方法において、前記比較ステップでは、前記移動平均値と前記あらたに検出される検出値との差分電圧の絶対値と所定の閾値とを比較することを特徴とする（請求項９）。
【００１８】
また、請求項９に記載の放電灯点灯装置の点灯制御方法において、前記比較ステップで設定する前記所定の閾値は、前記スイッチング周波数毎に異なることを特徴とする（請求項１０）。
【００１９】
また、請求項６内至１０のいずれか一項に記載の放電灯点灯装置の点灯制御方法において、前記次の点灯周期の極性切換タイミング毎に切換えるスイッチング周波数は、切換え可能な周波数の上限値と下限値とを有しており、変更前のスイッチング周波数の値に応じて前記上限値および前記下限値の範囲内で周波数の変更方向および変更量が決定されることを特徴とする（請求項１１）。
【００２０】
また、請求項６内至１１のいずれか一項に記載の放電灯点灯装置の点灯制御方法において、前記次の点灯周期の極性切換タイミング毎に切換えるスイッチング周波数は、第１のスイッチング周波数と第２のスイッチング周波数とが交互に入れ替わることを特徴とする（請求項１２）。
【００２１】
また、請求項６内至１２のいずれか一項に記載の放電灯点灯装置の点灯制御方法において、前記カウントステップで設定する所定回数は、前記スイッチング周波数毎に異なることを特徴とする（請求項１３）。
【発明の効果】
【００２２】
本発明による放電灯点灯装置は、以上のように構成したため、簡易で安価な回路構成でありながら音響共鳴現象の発生を精度よく判定し、放電ランプへの供給電力を一定に保ちながらフリッカ（光出力のちらつき）の発生を抑制するとともに、電極の劣化を抑制して放電ランプの長寿命化が可能となる。
【図面の簡単な説明】
【００２３】
【図１】本発明の第１実施形態に係る放電灯点灯装置を示す回路構成図である。
【図２】本発明の第１実施形態におけるスイッチング周波数の制御動作の流れを示すフローチャート図である。
【図３】本発明の第１実施形態に係る放電灯点灯装置におけるＤＣ／ＤＣコンバータ回路の出力電圧波形を模式的に示す図である。
【図４】本発明の第１実施形態に係る放電灯点灯装置の放電ランプに流れるランプ電流波形を模式的に示す図であり、（ａ）はスイッチング周波数切換前の音響共鳴現象の影響によるランプ電流の揺らぎが発生しているランプ電流波形図、（ｂ）はスイッチング周波数切換後の音響共鳴現象の影響を回避したときのランプ電流波形図である。
【図５】本発明の第２実施形態に係る放電灯点灯装置を示す回路構成図である。
【図６】本発明の第３実施形態に係る放電灯点灯装置を示す回路構成図である。
【図７】本発明の第３実施形態におけるスイッチング周波数の制御動作の流れを示すフローチャート図である。
【図８】本発明の第４実施形態に係る放電灯点灯装置を示す回路構成図である。
【発明を実施するための形態】
【００２４】
以下、本発明の実施の形態について、添付図面に基づいて説明する。尚、各図において同一の構成要素には同一の符号を付し、各実施形態の説明において重複する部分の説明は適宜省略する。
【００２５】
（第１実施形態）
図１は本発明の第１実施形態に係る放電灯点灯装置を示す回路構成図である。
【００２６】
図１に示すように、本発明の第１実施形態に係る放電灯点灯装置１は、直流電源Ｖｄｃから出力される直流電圧を降圧するＤＣ／ＤＣコンバータ回路２と、ＤＣ／ＤＣコンバータ回路２の出力電圧を交流電圧に変換するインバータ回路（ＤＣ／ＡＣインバータ回路）３と、ＤＣ／ＤＣコンバータ回路２のスイッチング周波数およびインバータ回路３の点灯周波数を制御するＰＷＭ制御回路を有する制御回路（制御手段）４と、出力電圧を検出する出力電圧検出回路５と、ＤＣ／ＤＣコンバータ回路の出力電流を検出する出力電流検出回路６とを備えている。尚、制御回路４はＤＳＰ（Ｄｉｇｉｔａｌ
Ｓｉｇｎａｌ Ｐｒｏｃｅｓｓｏｒ）により構成されている。また、インバータ回路３の出力端には高圧発生回路７が接続され、始動時には、インバータ回路３より所定の点灯周期で交流電圧が出力され、高圧発生回路７によって高圧パルスを発生させることで、放電ランプ８を点灯する。尚、直流電源Ｖｄｃは、たとえば商用交流電源を整流・平滑した直流電圧であり、全波整流回路の出力に接続された昇圧チョッパ回路（図示せず）であってもよい。
【００２７】
ＤＣ／ＤＣコンバータ回路２は、ＭＯＳ
ＦＥＴからなり、所定のスイッチング周期でオン／オフ動作を行うスイッチング素子Ｑ１と、一端がスイッチング素子Ｑ１のソース端子に接続されたインダクタＬ１と、アノード端子が直流電源Ｖｄｃの負極に接続されてカソード端子がスイッチング素子Ｑ１およびインダクタＬ１との中間点に接続されたダイオードＤ１と、一端が直流電源Ｖｄｃの負極に接続されて他端がインダクタＬ１の他端に接続されたコンデンサＣ１とを備えている。尚、本発明におけるスイッチング周期とは、スイッチング素子Ｑ１の出力信号におけるある点の立ち上がりエッジから次の立ち上がりエッジまでの時間、あるいは、ある点の立下りエッジから次の立下りエッジまでの時間を指す。
【００２８】
インバータ回路３は、ＭＯＳ
ＦＥＴからなるスイッチング素子Ｑ２〜Ｑ５によるフルブリッジ回路を構成しており、コンデンサＣ１の両端に対して、スイッチング素子Ｑ２，Ｑ３の直列回路と、スイッチング素子Ｑ４，Ｑ５の直列回路が並列に接続されている。また、スイッチング素子Ｑ２〜Ｑ５のゲート端子にはスイッチング素子Ｑ２〜Ｑ５にドライブ信号を出力する駆動回路９が接続されている。尚、インバータ回路３の構成は、フルブリッジ回路に限定されるものではなく、たとえば、ハーフブリッジ回路などであってもよい。
【００２９】
制御回路４は、インバータ回路３の駆動回路９に制御信号を出力するインバータ制御部１０と、出力電圧検出回路５からの出力信号と出力電流検出回路６からの出力信号を入力する電力演算回路１１と、ＤＣ／ＤＣコンバータ回路２のスイッチング素子Ｑ１のオン/オフ動作を制御するＰＷＭ制御回路１２を備えている。また、制御回路４は、音響共鳴現象が発生したときに、スイッチング周波数を音響共鳴周波数領域外のスイッチング周波数に切換えるように指示する周波数切換信号をＰＷＭ制御回路１２に出力する周波数切換判定処理回路１３を備えている。詳細は後述するが、周波数切換判定処理回路１３は、移動平均演算回路１４と、オフセット回路１５と、コンパレータ１７と、カウンタ１８と、を有する。尚、本実施形態における制御回路４は、すべてデジタル方式の回路部（ＤＳＰ）により構成されている。
【００３０】
出力電圧検出回路５は、ＤＣ／ＤＣコンバータ回路２の出力端とインバータ回路３の入力端のそれぞれの両端間に直列接続した抵抗素子Ｒ１,Ｒ２からなり、出力電流検出回路６は、ＤＣ／ＤＣコンバータ回路２の負極側と出力電圧検出回路５の負極側との間に接続した検出抵抗Ｒ３からなる。
【００３１】
次に、放電灯点灯装置１の各回路の基本動作について説明する。
【００３２】
ＤＣ／ＤＣコンバータ回路２は、制御回路４に備えられたＰＷＭ制御回路１２からのＰＷＭ（Ｐｕｌｓｅ
Ｗｉｄｔｈ Ｍｏｄｕｌａｔｉｏｎ）制御信号を受けて所定の大きさの直流電流をインバータ回路３に供給する。すなわち、安定点灯時（定常点灯時）には、放電ランプ８からの光出力を一定に保つべくランプ電力を一定に制御する必要があるが、制御回路４はそのために出力電流検出回路６である検出抵抗Ｒ３で検出した出力電流、および出力電圧検出回路５で検出した出力電圧を電力演算回路１１に入力してランプ電力を演算し、それを一定にするようなＰＷＭ制御信号をＰＷＭ制御回路１２からＤＣ／ＤＣコンバータ回路２に送る。ＤＣ／ＤＣコンバータ回路２は、それを受けて直流電源Ｖｄｃからの直流電圧を所定の大きさの直流電流に変換する。ＰＷＭ制御回路１２によってスイッチング素子Ｑ１のオンデューティ（一周期に占めるオン時間の割合）を変えることにより、コンデンサＣ１に得られる電圧を可変制御できる。以上により、ＤＣ／ＤＣコンバータ回路２は降圧チョッパ回路を構成している。
【００３３】
また、制御回路４は、後述するように、音響共鳴現象によるランプ電流の揺らぎが発生した場合、周波数切換判定処理回路１３にて音響共鳴現象が発生しているかどうかを判断し、音響共鳴現象の影響を回避するように、ＤＣ／ＤＣコンバータ回路２のスイッチング周波数を所定周波数分変更するためのＰＷＭ制御信号をＤＣ／ＤＣコンバータ回路２のスイッチング素子Ｑ１に送る。尚、制御回路４は、始動時から一定のランプ電力を得る（所定の出力電圧に達する）までの間は、一定の出力電流で制御するようにＰＷＭ制御信号をＤＣ／ＤＣコンバータ回路２に送る。
【００３４】
インバータ回路３は、ＤＣ／ＤＣコンバータ回路２からの直流電流に対して制御回路４が備えるインバータ制御部１０から所定の点灯周期の制御信号に基づいてスイッチング素子Ｑ２，Ｑ５とスイッチング素子Ｑ３，Ｑ４とが交互にオン／オフ動作を繰り返して、所定の点灯周波数の矩形波電流を生成する。
【００３５】
高圧発生回路７は、たとえばトランス（図示せず）を有しており、放電ランプ８の電極間での絶縁破壊を促し、放電ランプ８を始動させるべく高電圧を発生させて放電ランプ８に印加する。
【００３６】
次に、周波数切換判定処理回路１３の動作について、図２および図３を用いて、詳しく説明する。
【００３７】
図２は本発明の第１実施形態に係る放電灯点灯装置１のスイッチング周波数の制御動作の流れを示すフローチャート図、図３は放電灯点灯装置１におけるＤＣ／ＤＣコンバータ回路２の出力電圧波形（コンデンサＣ１の両端電圧）を模式的に示す図、図４は放電灯点灯装置１の放電ランプ８に流れるランプ電流波形を模式的に示す図であり、（ａ）はスイッチング周波数切換前の音響共鳴現象の影響による電流の揺らぎが発生しているランプ電流波形図、（ｂ）はスイッチング周波数切換後の音響共鳴現象の影響を回避したときのランプ電流波形図である。
【００３８】
（制御動作の流れ）
放電灯点灯装置１におけるスイッチング周波数の制御（電流の揺らぎ検出）は、放電ランプ８の点灯指令後、定電力制御モードに移行した後に開始される（図２のステップＳ１）。各点灯周期において、以下の各ステップ（Ｓ２〜Ｓ６）が実行される。まず、出力電圧検出回路５で出力電圧Ｖｏの検出値が検出される（ステップＳ２）。次に、出力電圧Ｖｏの検出値は制御回路４に入力され、周波数切換判定処理回路１３に備えられた移動平均演算回路１４にて、スイッチング周期毎の連続した所定回数分（たとえば３０回分）の検出値をもとに移動平均値Ｖａｖｅが算出される（ステップＳ３）。そして、加算点１６において、移動平均値Ｖａｖｅにオフセット回路１５から出力されるオフセット値Ｖｏｆｆが加減算されて、以下の式（１）により、移動平均値Ｖａｖｅを中心とした閾値領域を持つ閾値電圧Ｖｒｅｆ（図３に示すＶｏｆｆ１〜Ｖｏｆｆ２の領域）が算出される（ステップＳ４）。
Ｖｒｅｆ＝Ｖａｖｅ±Ｖｏｆｆ      ・・・（１）
次に、コンパレータ１７の二つの入力端子には閾値電圧Ｖｒｅｆと移動平均値Ｖａｖｅに用いられた所定回数分の検出値の検出後にあらたに検出される出力電圧Ｖｏの検出値のそれぞれが入力され、あらたに検出された検出値が閾値電圧Ｖｒｅｆの閾値領域から外れている場合は、コンパレータ１７の出力端子から出力信号をカウンタ１８に送出する（ステップＳ５）。カウンタ１８では、コンパレータ１７より入力される信号の入力数をカウントする（ステップＳ６）。カウンタ１８への信号の入力数が所定回数（たとえば、２０回）を超えたときに、次の点灯周期の極性切換タイミングでスイッチング周波数を切換えるように指示する周波数切換信号をＰＷＭ制御回路１２へ出力する（ステップＳ７）。ＰＷＭ制御回路１２は、カウンタ１８からの周波数切換信号が入力されると、次の点灯周期の極性切換タイミングで、ＰＷＭ周波数を変更したＰＷＭ制御信号を出力し（ステップＳ８）、ＤＣ／ＤＣコンバータ回路２のスイッチング素子Ｑ１のスイッチング周波数は所定の周波数分（たとえば、１ｋＨｚ）だけシフトする（ステップＳ９）。
尚、図２では説明を省略しているが、ステップＳ６でカウンタ１８への信号の入力数が所定回数を超えた後は、ステップＳ２〜Ｓ６までの動作は、次の点灯周期切換タイミングまで引き続き繰り返し実行されても、実行されなくても（待機しても）よい。
【００３９】
以上のように、周波数切換判定処理回路１３は、図２に示すステップＳ２〜ステップＳ９の手順をスイッチング周期毎に繰り返し、音響共鳴現象により電流の揺らぎが発生しているかどうかを判定し、音響共鳴現象が発生していると判定した場合には、次の点灯周期の極性切換タイミングでスイッチング周波数を所定周波数分切換えるように指示する周波数切換信号をＰＷＭ制御回路１２へ出力する。
その結果、図４（ａ）に示す音響共鳴現象の影響による電流の揺らぎによってばたつきを生じたランプ電流波形は、次の点灯周期の極性切換タイミングでスイッチング周波数を所定周波数分だけシフトしたスイッチング周波数に切換わることにより、スイッチング周波数が音響共鳴現象を回避可能な周波数となるため、図４（ｂ）に示すように、ランプ電流波形は音響共鳴現象による電流の揺らぎのない電圧波形となる。尚、図４（ｂ）において、多少ばたついているように見える波形部分は電流リップル成分によるものである。
【００４０】
ＤＣ−ＤＣコンバータ回路２におけるスイッチング素子Ｑ１のスイッチング周波数は、切り替え可能な上限周波数と下限周波数があらかじめ決められている。したがって、周波数切換判定処理回路１３の指示により切換えられるスイッチング周波数は、この上限周波数および下限周波数の範囲内でシフトする。
【００４１】
点灯周期の極性切換タイミング毎に切換えられるスイッチング周波数の切換方法は、回路設計に応じて様々な態様が考えられるが、たとえば、以下のような方法が適用可能である。
（１）切換え可能なスイッチング周波数が二つのスイッチング周波数のみに限定され、ある点灯周期中に、周波数切換判定処理回路１３よりスイッチング周波数を切換えるように指示する周波数切換信号がＰＷＭ制御回路１２へ出力された場合、スイッチング周波数は、次の点灯周期の極性切換タイミングで一方のスイッチング周波数から他方のスイッチング周波数へ交互に切換える。
（２）切換え可能なスイッチング周波数は３つ以上の周波数を有し、次の点灯周期の極性切換タイミング時に、周波数切換判定処理回路１３よりスイッチング周波数を切換えるように指示する周波数切換信号がＰＷＭ制御回路１２へ出力された場合、スイッチング周波数は、次の点灯周期の極性切換タイミングで、元のスイッチング周波数から高い方あるいは低い方の周波数へ順次切換える。たとえば、元のスイッチング周波数が上限周波数に近い周波数の場合は、次の点灯周期の極性切換タイミングでは、それよりも低い周波数に切換える。
【００４２】
上記に示した切換方法は、単なる一例を示すものであり、これらに限定されるものではなく、個々の切換方法は回路仕様により任意に設計可能である。
【００４３】
また、移動平均演算回路１４に入力される出力電圧Ｖｏの検出値の所定回数分は、回数が多いほど検出精度は上がるが、回数が多くなるほど、処理時間がかかるため、これも回路仕様に応じて、最適な回数が設定される。
【００４４】
また、カウンタ１８で設定される所定回数は、切換えられるスイッチング周波数に対して常に一定の値であってもよいが、スイッチング周波数毎に所望の回数を設定することが好ましい。
【００４５】
また、オフセット回路１５から出力されるオフセット値は切換えられるスイッチング周波数に対して常に一定の値であってもよいが、スイッチング周波数が変化すると出力電圧検出回路５で検出される出力電圧に重畳されるリップル電圧の大きさも変わるため、オフセット値はスイッチング周波数に応じて設定することが望ましい。
【００４６】
尚、次の点灯周期の極性切換タイミングで変更される所定の周波数分は、音響共鳴周波数帯域から回避するために、少なくとも１ｋＨｚ程度とするのが好ましいが、個々の回路設計によって任意に設定可能であり、限定されるものではない。
【００４７】
以上のように、本実施形態に係る放電灯点灯装置１では、制御回路４は、各点灯周期において、出力電圧検出回路５によって検出される検出値のスイッチング周期毎の連続した所定回数分の移動平均値を算出し、移動平均値とあらたに検出される検出値との差情報に基づいて、次の点灯周期の極性切換タイミングでスイッチング周波数を所定の周波数分変更するように指示する周波数切換信号をＰＷＭ制御回路１２に出力する周波数切換判定処理回路１３を備えたため、簡易で安価な回路構成でありながら、音響共鳴現象が発生した場合に、音響共鳴現象の発生を精度よく判定して、スイッチング周波数を音響共鳴現象が回避可能な周波数に切換えることにより、放電ランプへの供給電力を一定に保ちながらランプ電流の揺らぎを回避してフリッカの発生を抑制するとともに、電極の劣化を抑制して放電ランプの長寿命化が可能となる。
【００４８】
（第２実施形態）
図５は、本発明の第２実施形態に係る放電灯点灯装置１ａの回路構成を示す図である。尚、図５において、図１と共通する構成要素には同一符号を付すとともに、以下の説明において、上述した放電灯点灯装置１と重複する部分の説明は省略する。
【００４９】
図５に示すように、放電灯点灯装置１ａは、放電灯点灯装置１とは異なり、制御回路４ａにおいて、周波数切換判定処理回路１３ａの移動平均演算回路１４には、出力電圧検出回路５での検出値は入力されず、出力電流検出回路６での検出値が入力される。上記以外は、放電灯点灯装置１と同様な構成である。
【００５０】
放電灯点灯装置１ａにおいては、各点灯周期において、出力電流検出回路６でＤＣ／ＤＣコンバータ回路の出力電流の検出値（電圧値に変換された値）が検出される。出力電流の検出値は制御回路４ａに入力され、周波数切換判定処理回路１３ａに備えられた移動平均演算回路１４にて、スイッチング周期毎の連続した所定回数分（たとえば３０回分）の検出値をもとに移動平均値が算出される。そして、加算点１６において、移動平均値にオフセット回路１５から出力されるオフセット値が加減算されて、移動平均値を中心とした閾値領域を持つ閾値電圧が算出される。次に、コンパレータ１７において、閾値電圧と移動平均値に用いられた所定回数分の検出値の検出後にあらたに検出される出力電流の検出値とが比較され、あらたに検出された検出値が閾値電圧の閾値領域から外れている場合は、出力信号をカウンタ１８に送出する。カウンタ１８では、コンパレータ１７より入力される信号の入力数をカウントし、入力数が所定回数（たとえば、２０回）を超えたときに、次の点灯周期の極性切換タイミングでスイッチング周波数を切換えるように指示する周波数切換信号をＰＷＭ制御回路１２へ出力する。ＰＷＭ制御回路１２は、カウンタ１８からの周波数切換信号が入力されると、次の点灯周期の極性切換タイミングで、ＰＷＭ周波数を変更したＰＷＭ制御信号を出力し、ＤＣ／ＤＣコンバータ回路２のスイッチング素子Ｑ１のスイッチング周波数は所定の周波数分（たとえば、１ｋＨｚ）だけシフトする。
【００５１】
以上のように構成された放電灯点灯装置１ａにおいても、制御回路４aは、各点灯周期において、出力電流検出回路６によって検出される検出値のスイッチング周期毎の連続した所定回数分の移動平均値を算出し、移動平均値とあらたに検出される検出値との差情報に基づいて、次の点灯周期の極性切換タイミングでスイッチング周波数を所定の周波数分変更するように指示する周波数切換信号をＰＷＭ制御回路１２に出力する周波数切換判定処理回路１３ａを備えたため、放電灯点灯装置１と同様に、簡易で安価な回路構成でありながら、音響共鳴現象が発生した場合に、音響共鳴現象の発生を精度よく判定して、スイッチング周波数を音響共鳴現象が回避可能な周波数に切換えることにより、ランプ電流の揺らぎを回避してフリッカの発生を抑制するとともに、電極の劣化を抑制して放電ランプの長寿命化が可能となる。  
【００５２】
（第３実施形態）
図６は、本発明の第３実施形態に係る放電灯点灯装置１ｂの回路構成を示す図、図７は放電灯点灯装置１ｂのスイッチング周波数の制御動作の流れを示すフローチャート図である。尚、図６において、図１と共通する構成要素には同一符号を付すとともに、以下の説明において、上述した放電灯点灯装置１と重複する部分の説明は省略する。
【００５３】
図６に示すように、放電灯点灯装置１ｂでは、制御回路４ｂにおいて、周波数切換判定処理回路１３ｂは、放電灯点灯装置１の周波数切換判定処理回路１３の構成要素および音響共鳴現象の判定処理手順が異なる。周波数切換判定処理回路１３ｂ以外は、放電灯点灯装置１と同様な構成である。
【００５４】
周波数切換判定処理回路１３ｂは、移動平均演算回路１４と、第１のコンパレータ１９と、第２のコンパレータ２０と、カウンタ１８とを備えている。
【００５５】
（制御動作の流れ）
放電灯点灯装置１ｂにおけるスイッチング周波数の制御（電流の揺らぎ検出）は、放電ランプ８の点灯指令後、定電力制御モードに移行した後に開始される（図７のステップＳ１１）。各点灯周期において、以下の各ステップ（Ｓ１２〜Ｓ１９）が実行される。まず、出力電圧検出回路５で出力電圧Ｖｏの検出値が検出される（ステップＳ１２）。次に、出力電圧Ｖｏの検出値は制御回路４に入力され、周波数切換判定処理回路１３ｂに備えられた移動平均演算回路１４にて、スイッチング周期毎の連続した所定回数分（たとえば３０回分）の検出値をもとに移動平均値Ｖａｖｅが算出される（ステップＳ１３）。そして、第１のコンパレータ１９の二つの入力端子には、移動平均値Ｖａｖｅと移動平均値Ｖａｖｅに用いられた所定回数分の検出値の検出後にあらたに検出される出力電圧Ｖｏの検出値のそれぞれが入力され、以下の式（２）により、両方の差分電圧（絶対値）Ｖｄｉｆが算出されて、第１のコンパレータ１９の出力端子から出力される（ステップＳ１４）。
Ｖｄｉｆ＝｜Ｖａｖｅ−Ｖｏｆｆ｜      ・・・（２）
次に、第２のコンパレータ２０の二つの入力端子には、差分電圧Ｖｄｉｆと閾値電圧Ｖｒｅｆのそれぞれが入力され、差分電圧Ｖｄｉｆが閾値電圧Ｖｒｅｆの閾値領域から外れている場合は、第２のコンパレータ２０の出力端子から出力信号をカウンタ１８に送出する（ステップＳ１５）。カウンタ１８では、第２のコンパレータ２０より入力される信号の入力数をカウントする（ステップＳ１６）。カウンタ１８への入力数が所定回数（たとえば、２０回）を超えたときに、次の点灯周期の極性切換タイミングでスイッチング周波数を切換えるように指示する周波数切換信号をＰＷＭ制御回路１２へ出力する（ステップＳ１７）。ＰＷＭ制御回路１２は、カウンタ１８からの周波数切換信号が入力されると、次の点灯周期の極性切換タイミングでＰＷＭ周波数を変更したＰＷＭ制御信号を出力し（ステップＳ１８）、ＤＣ／ＤＣコンバータ回路２のスイッチング素子Ｑ１のスイッチング周波数は所定の周波数分（たとえば、１ｋＨｚ）だけシフトする（ステップＳ１９）。
【００５６】
以上のように、周波数切換判定処理回路１３ｂは、図７に示すステップＳ１２〜ステップＳ１９の手順をスイッチング周期毎に繰り返し、音響共鳴現象により電流の揺らぎが発生しているかどうかを判定し、音響共鳴現象が発生していると判定した場合には、次の点灯周期の切換タイミングでスイッチング周波数を切換えるように指示する周波数切換信号をＰＷＭ制御回路１２へ出力する。
【００５７】
以上のように構成された放電灯点灯装置１ｂにおいても、制御回路４ｂは、各点灯周期において、出力電圧検出回路５によって検出される検出値のスイッチング周期毎の連続した所定回数分の移動平均値を算出し、移動平均値とあらたに検出される検出値との差情報に基づいて、次の点灯周期の極性切換タイミングでスイッチング周波数を所定の周波数分変更するように指示する周波数切換信号をＰＷＭ制御回路１２に出力する周波数切換判定処理回路１３ｂを備えたため、放電灯点灯装置１と同様に、簡易で安価な回路構成でありながら、音響共鳴現象が発生した場合に、音響共鳴現象の発生を精度よく判定して、次の点灯周期の極性切換タイミングでスイッチング周波数を音響共鳴現象が回避可能な周波数に切換えることにより、ランプ電流の揺らぎを回避してフリッカの発生を抑制するとともに、電極の劣化を抑制して放電ランプの長寿命化が可能となる。
【００５８】
尚、第２のコンパレータ２０に入力される閾値電圧Ｖｒｅｆの値は切換えられるスイッチング周波数に対して常に一定の値であってもよいが、スイッチング周波数が変化すると出力電圧検出回路５で検出される出力電圧に重畳されるリップル電圧の大きさも変わるため、閾値電圧Ｖｒｅｆの値はスイッチング周波数に応じて設定することが望ましい。
【００５９】
（第４実施形態）
図８は、本発明の第４実施形態に係る放電灯点灯装置１ｃの回路構成を示す図である。尚、図８において、図１と共通する構成要素には同一符号を付すとともに、以下の説明において、上述した放電灯点灯装置１と重複する部分の説明は省略する。
【００６０】
図８に示すように、放電灯点灯装置１ｃにおいては、制御回路４ｃは、デジタル制御部２１と、アナログ回路で構成されたアナログ演算回路１４ａとで構成されている。デジタル制御部２１は、インバータ制御部１０と、電力演算回路１１と、ＰＷＭ制御回路１２と、周波数切換判定処理回路１３ｃとを備えている。また、周波数切換判定処理回路１３ｃは、オフセット回路１５と、コンパレータ１７と、カウンタ１８とを備える。アナログ演算回路１４ａは、出力電圧検出回路５の出力端とグランド間に直列接続した抵抗素子Ｒ４とコンデンサＣ２とで構成されている。制御回路４ｃの構成以外は、放電灯点灯装置１と同様な構成である。
【００６１】
放電灯点灯装置１ｃにおいては、各点灯周期において、以下のような点灯制御動作が行われる。
出力電圧検出回路５で検出される出力電圧Ｖｏの検出値は、制御回路４ｃに入力され、アナログ演算回路１４ａにて検出値の平均値Ｖａｖｅが算出される。そして、アナログ演算回路１４ａで算出された平均値Ｖａｖｅの値は、デジタル制御部２１に備えられた周波数切換判定処理回路１３ｃの加算点１６に入力される。平均値Ｖａｖｅにオフセット回路１５から出力されるオフセット値Ｖｏｆｆが加減算されて、平均値Ｖａｖｅを中心とした閾値領域を持つ閾値電圧Ｖｒｅｆが算出される。
次に、コンパレータ１７の二つの入力端子には閾値電圧Ｖｒｅｆと平均値Ｖａｖｅの算出後にあらたに検出される出力電圧Ｖｏの検出値のそれぞれが入力され、あらたに検出された検出値が閾値電圧Ｖｒｅｆの閾値領域から外れている場合は、コンパレータ１７の出力端子から出力信号をカウンタ１８に送出する。カウンタ１８では、コンパレータ１７より入力される信号の入力数をカウントし、入力数が所定回数（たとえば、２０回）を超えたときに、次の点灯周期の切換タイミングでスイッチング周波数を切換えるように指示する周波数切換信号をＰＷＭ制御回路１２へ出力する。ＰＷＭ制御回路１２は、カウンタ１８からの周波数切換信号が入力されると、次の点灯周期の極性切換タイミングで、ＰＷＭ周波数を変更したＰＷＭ制御信号を出力し、ＤＣ／ＤＣコンバータ回路２のスイッチング素子Ｑ１のスイッチング周波数は所定の周波数分（たとえば、１ｋＨｚ）だけシフトする。
【００６２】
以上のように構成した放電灯点灯装置１ｃにおいても、制御回路４ｃは、各点灯周期において、出力電圧検出回路５によって検出される検出値の平均値をアナログ演算回路１４ａで算出し、この平均値とあらたに検出される検出値との差情報に基づいて、次の点灯周期の極性切換タイミングでスイッチング周波数を所定の周波数分変更するように指示する周波数切換信号をＰＷＭ制御回路１２に出力する周波数切換判定処理回路１３ｃを備えたため、上記の第１〜３実施形態に係る放電灯点灯装置１，１ａ，１ｂと同様に、簡易で安価な回路構成でありながら、音響共鳴現象が発生した場合に、音響共鳴現象の発生を精度よく判定して、次の点灯周期の極性切換タイミングでスイッチング周波数を音響共鳴現象が回避可能な周波数に切換えることにより、ランプ電流の揺らぎを回避してフリッカの発生を抑制するとともに、電極の劣化を抑制して放電ランプの長寿命化が可能となる。
【００６３】
以上、本発明の代表的な実施形態について説明したが、本発明は上記の実施形態の回路構成のみに限定されるものではなく、本発明の趣旨を逸脱しない範囲で種々の変更が可能である。
【００６４】
たとえば、上記の第１〜３実施形態において、移動平均演算回路で移動平均に用いられる検出値は、スイッチング周期毎の連続した所定回数分の値に限定されるものではなく、たとえば、スイッチング周期毎の検出値のうちの所定の間隔を置いた所定回数分の値、あるいは、スイッチング周期毎以外のインターバルで検出された検出値の所定回数分の値などであってもよい。
【００６５】
また、移動平均演算回路で移動平均に用いられる検出値の所定回数分、カウンタで設定される所定回数、ＰＷＭ制御回路で設定されるシフトされるスイッチング周波数の所定の周波数分は、上記の実施形態の中で示した具体例に限定されるものではなく、回路の仕様等に応じて適切に決定されるものである。
【００６６】
また、第３，第４実施形態について、移動平均演算回路に入力する検出値を出力電圧検出回路の検出値から出力電流検出回路の検出値に置き換える構成も可能である。
【００６７】
また、上記の実施形態では、ＤＣ／ＤＣコンバータ回路を直流電源Ｖｄｃから出力される直流電圧を降圧する降圧チョッパ回路としたが、昇圧チョッパ回路あるいは昇降圧チョッパ回路であってもよい。
【００６８】
また、上記の実施形態では、制御回路をＤＳＰとしたが、これに限定されるものではなく、ＦＰＧＡやマイクロコンピュータなどのプログラマブルデバイスを用いることができる。
【符号の説明】
【００６９】
１，１ａ，１ｂ，１ｃ：放電灯点灯装置、２：ＤＣ／ＤＣコンバータ回路、３：インバータ回路（ＤＣ／ＡＣインバータ回路）、４，４ａ，４ｂ，４ｃ：制御回路、５：出力電圧検出回路、６：出力電流検出回路、７：高圧発生回路、８：放電ランプ、９：駆動回路、１０：インバータ制御部、１１：電力演算回路、１２：ＰＷＭ制御回路、１３，１３ａ，１３ｂ，１３ｃ：周波数切換判定処理回路、１４：移動平均演算回路、１４ａ：アナログ演算回路、１５：オフセット回路、１６：加算点、１７：コンパレータ、１８：カウンタ、１９：第１のコンパレータ、２０：第２のコンパレータ、２１：デジタル制御部、Ｄ１:ダイオード、Ｌ１：インダクタ、Ｃ１，Ｃ２：コンデンサ、Ｒ１，Ｒ２，Ｒ４：抵抗素子、Ｒ３：検出抵抗、Ｑ１〜Ｑ５：スイッチング素子、Ｖｄｃ：直流電源、Ｖｒｅｆ：閾値電圧
【図１】
0005447959.tif 000002
【図２】
0005447959.tif 000003
【図３】
0005447959.tif 000004
【図４】
0005447959.tif 000005
【図５】
0005447959.tif 000006
【図６】
0005447959.tif 000007
【図７】
0005447959.tif 000008
【図８】
0005447959.tif 000009